(57)【要約】【課題】音声データの再生方法及びそのシステムを提供することを課題とする。【解決手段】本発明は、音声データの再生方法及びそのシステムを提供し、前記音声データの再生方法は音声データの再生時点に対応する時間情報を定義することと、第１ＲＦ回路で前記時間情報を送信することと、第２ＲＦ回路で時間情報を受信すると共に時間情報を第２ＲＦ回路にカップリングされる再生回路に伝送することと、前記再生回路は時間情報が対応する再生時点をもって音声データを再生することと、を含む。【選択図】図３
2019505826.tif 000002
【特許請求の範囲】
【請求項１】
音声データの再生時点に対応する時間情報を定義することと、
第１ＲＦ回路で前記時間情報を送信することと、
第２ＲＦ回路で前記時間情報を受信すると共に前記時間情報を前記第２ＲＦ回路にカップリングされる再生回路に伝送することと、
前記再生回路は前記時間情報が対応する前記再生時点をもって前記音声データを再生することと、を含むことを特徴とする、
音声データの再生方法。
【請求項２】
第１ＲＦ回路は、別の再生回路にカップリングされ、前記第１ＲＦ回路から送信された前記時間情報が前記音声データの前記別の再生回路における現在再生中の再生時点に対応することを特徴とする、請求項１に記載の音声データの再生方法。
【請求項３】
前記音声データの前記別の再生回路における現在再生中の再生時点をカウントすることで、カウント値を生成して前記時間情報とすることを更に含むことを特徴とする、請求項２に記載の音声データの再生方法。
【請求項４】
音声データの再生時点に対応する時間情報を定義することと、
ＲＦタグで前記時間情報を保存することと、
第１ＲＦ回路で前記ＲＦタグを読み取ることで前記時間情報を受信すると共に前記時間情報を前記ＲＦ回路にカップリングされる再生回路に伝送することと、
前記再生回路は前記時間情報が対応する前記再生時点をもって前記音声データを再生することと、を含むことを特徴とする、
音声データの再生方法。
【請求項５】
前記第１ＲＦ回路から送信された前記時間情報のＲＦ周波数は、３０ＭＨｚより小さいことを特徴とする、請求項１又は４に記載の音声データの再生方法。
【請求項６】
前記第１ＲＦ回路で別の時間情報を送信し、前記別の時間情報は前記音声データの前記再生回路における現在再生中の再生時点に対応することを更に含むことを特徴とする、請求項４に記載の音声データの再生方法。
【請求項７】
前記音声データの前記再生回路における現在再生中の再生時点をカウントすることで、カウント値を生成して前記別の時間情報とすることを更に含むことを特徴とする、請求項６に記載の音声データの再生方法。
【請求項８】
第２ＲＦ回路で前記別の時間情報を受信すると共に前記別の時間情報を前記第２ＲＦ回路にカップリングされる別の再生回路に伝送することと、前記別の再生回路は前記別の時間情報が対応する前記音声データの前記再生回路における現在再生中の再生時点をもって前記音声データを再生し、前記別の再生回路及び前記再生回路が前記音声データを同期再生させることと、を更に含むことを特徴とする、請求項６に記載の音声データの再生方法。
【請求項９】
音声データの再生時点に対応する時間情報を送信するための第１ＲＦ回路と、
前記時間情報を受信するための第２ＲＦ回路と、
前記第２ＲＦ回路にカップリングされ、前記時間情報が対応する前記再生時点をもって前記音声データを再生するための再生回路と、を含むことを特徴とする、
音声データの再生システム。
【請求項１０】
前記第１ＲＦ回路にカップリングされる別の再生回路を更に含み、前記時間情報は前記音声データの前記別の再生回路における現在再生中の再生時点に対応することを特徴とする、請求項９に記載の音声データの再生システム。
【請求項１１】
前記別の再生回路にカップリングされる制御回路を更に含み、前記制御回路は前記音声データの前記別の再生回路における現在再生中の再生時点をカウントすることで、カウント値を生成して前記時間情報とすることを特徴とする、請求項１０に記載の音声データの再生システム。
【請求項１２】
音声データの再生時点に対応する時間情報を保存するためのＲＦタグと、
前記ＲＦタグを読み取ることで前記時間情報を受信するための第１ＲＦ回路と、
前記第１ＲＦ回路にカップリングされ、前記時間情報を受信すると共に前記時間情報が対応する前記再生時点をもって前記音声データを再生する再生回路と、を含むことを特徴とする、
音声データの再生システム。
【請求項１３】
前記第１ＲＦ回路から送信された前記時間情報のＲＦ周波数は、３０ＭＨｚより小さいことを特徴とする、請求項９又は１２に記載の音声データの再生システム。
【請求項１４】
前記第１ＲＦ回路は、更に別の時間情報を送信するために用いられ、前記別の時間情報が前記音声データの前記再生回路における現在再生中の再生時点に対応することを特徴とする、請求項１２に記載の音声データの再生システム。
【請求項１５】
第２ＲＦ回路と、前記第２ＲＦ回路にカップリングされる別の再生回路とを更に含み、前記第２ＲＦ回路は前記別の時間情報を受信し、かつ前記第２ＲＦ回路が前記別の時間情報を前記別の再生回路に伝送し、前記別の再生回路は前記別の時間情報が対応する前記音声データの前記再生回路における現在再生中の再生時点をもって前記音声データを再生することを特徴とする、請求項１４に記載の音声データの再生システム。
【請求項１６】
音声情報の再生に適した音声データの再生方法であって、
第１ＲＦ回路で音声データの一再生位置に対応する小節情報を送信することと、
第２ＲＦ回路で前記小節情報を受信すると共に前記小節情報を前記第２ＲＦ回路にカップリングされる再生回路に伝送することと、
前記再生回路は前記小節情報が対応する再生位置で前記音声データを再生することと、を含むことを特徴とする、
音声データの再生方法。
【請求項１７】
前記音声データが複数の小節を含み、前記音声データの再生方法は前記小節情報と前記音声データの前記小節を比較して前記小節情報が対応する前記再生位置を得ることを更に含むことを特徴とする、請求項１６に記載の音声データの再生方法。
【請求項１８】
前記第１ＲＦ回路は、別の再生回路にカップリングされ、前記第１ＲＦ回路から送信された前記小節情報が前記音声データの前記別の再生回路における現在再生中の再生位置に対応することを特徴とする、請求項１６に記載の音声データの再生方法。
【請求項１９】
前記第１ＲＦ回路から送信された前記小節情報のＲＦ周波数は、３０ＭＨｚより小さいことを特徴とする、請求項１６に記載の音声データの再生方法。
【発明の詳細な説明】
【技術分野】
【０００１】
本発明は、音声データの再生方法に関し、特に、ＲＦタグ伝送技術を応用した音声データの再生方法に関する。
【背景技術】
【０００２】
ＲＦタグ（Ｒａｄｉｏ  Ｆｒｅｑｕｅｎｃｙ  Ｉｄｅｎｔｉｆｉｃａｔｉｏｎ、ＲＦＩＤ）は、無線通信技術であり、信号を周波数変電磁界に変調し、データを物品に付着するＲＦタグから伝送する。ＲＦタグ内部の電力供給の有無により、ＲＦタグを受動型及び能動型に区分けすることができる。受動型ＲＦタグ内部の集積回路は、ＲＦリーダから発せられた電磁波で駆動でき、ＲＦタグが受信した信号の強度は十分な時、ＲＦリーダに対しデータを発することができる。能動型ＲＦタグは、内部電力を通じて、随時内部ＲＦタグのメモリのデータをリーダに自動的に送信できる。
【０００３】
日常生活において、ＲＦタグは、幅広く活用されており、例えば、決済時に商品のバーコードを読み取って購買額を計算したり、倉庫時に商品のバーコードを読み取って在庫状況を確認したり、商品の出庫又は入庫時に商品のバーコードを読み取って物流の状況を確認する。また、荷物分類や、ＲＦを人員或いは物品上に設けて在庫、資産に対する追跡及び管理行ったり、紙幣及び製品の偽造防止技術に用いたり、更に人体に埋め込んで個人の身分証明書とすることもある。
【０００４】
しかしながら、現行のＲＦタグから送信されるデータには、時間に関する情報が含まれず、更にはＲＦタグを通じて時間情報を送信して音声再生装置を制御して指定再生時点に音声データを再生できない。また、異なる音声再生装置の間に再生音声データを同期再生させることができない。
【発明の概要】
【発明が解決しようとする課題】
【０００５】
本発明は、上記の問題に鑑みてなされたものであり、音声データの再生方法及びそのシステムを提供する。
【課題を解決するための手段】
【０００６】
音声データの再生方法の実施例１において、音声データの再生方法は、音声データの再生時点に対応する時間情報を定義することと、第１ＲＦ回路で前記時間情報を送信することと、第２ＲＦ回路で時間情報を受信すると共に時間情報を第２ＲＦ回路にカップリングされる再生回路に伝送することと、前記再生回路は時間情報が対応する再生時点をもって音声データを再生することと、を含む。
【０００７】
音声データの再生システムの実施例１において、音声データの再生システムは、第１ＲＦ回路と、第２ＲＦ回路と、第２ＲＦ回路にカップリングされる再生回路とを含み、第１ＲＦ回路は音声データの再生時点に対応する時間情報を送信するために用いられ、第２ＲＦ回路が第１ＲＦ回路から送信された時間情報を受信するために用いられ、再生回路は時間情報が対応する再生時点をもって音声データを再生するために用いられる。
【０００８】
音声データの再生方法の実施例２において、音声データの再生方法は、音声データの再生時点に対応する時間情報を定義することと、ＲＦタグで前記時間情報を保存することと、第１ＲＦ回路でＲＦタグを読み取ることで時間情報を受信すると共に時間情報をＲＦ回路にカップリングされる再生回路に伝送することと、再生回路は時間情報が対応する再生時点をもって音声データを再生することと、を含む。
【０００９】
音声データの再生システムの実施例２において、音声データの再生システムは、ＲＦタグと、第１ＲＦ回路と、第１ＲＦ回路にカップリングされる再生回路とを含み、ＲＦタグは音声データの再生時点に対応する時間情報を保存するために用いられ、第１ＲＦ回路がＲＦタグを読み取ることで時間情報を受信するために用いられ、再生回路は時間情報を受信すると共に時間情報が対応する再生時点をもって音声データを再生するために用いられる。
【００１０】
音声データの再生方法の実施例３において、第１ＲＦ回路は、音声データの再生位置に対応する小節情報を送信することと、第２ＲＦ回路が前記小節情報を受信すると共に小節情報を第２ＲＦ回路にカップリングされる再生回路に伝送することと、再生回路は小節情報が対応する再生位置で音声データを再生することと、を含む。
【発明の効果】
【００１１】
上記をまとめると、本発明に係る音声データの再生方法は、ＲＦ回路を通じて時間情報を送信でき、前記時間情報が音声データの一再生時点に対応し、時間情報を受信する再生回路は時間情報が対応する任意の再生時点をもって音声データを再生させ、更には異なる再生回路の間が再生音声データを同期再生させことができることで、生活の利便性を向上する。
【図面の簡単な説明】
【００１２】
【図１】本発明の実施例１に係る音声データの再生システムの機能ブロック図である。
【図２】本発明の実施例２に係る音声データの再生システムの機能ブロック図である。
【図３】本発明の実施例１に係る音声データの再生方法のフローチャートである。
【図４】本発明の実施例２に係る音声データの再生方法のフローチャートである。
【図５】本発明の実施例３に係る音声データの再生方法のフローチャートである。
【発明を実施するための形態】
【００１３】
図１は、本発明の実施例１に係る音声データの再生システムの機能ブロック図である。
図１を参照する。音声データの再生システムは、２つの音声再生装置（説明の便宜を図るため、２つの音声再生装置は各々第１音声再生装置１０及び第２音声再生装置２０と称する）を含む。第１音声再生装置１０は、第１ＲＦ回路１１と第１再生回路１２と第１制御回路１３とを含む。第２音声再生装置２０は、第２ＲＦ回路２１と第２再生回路２２とを含む。
【００１４】
第１制御回路１３は、第１再生回路１２と第１ＲＦ回路１１との間にカップリングされ、第２ＲＦ回路２１が第２再生回路２２にカップリングされ、かつ第１ＲＦ回路１１が第１制御回路１３と第２再生回路２２の間、かつ第１再生回路１２と第２再生回路２２の間において、第２ＲＦ回路２１とカップリングされる。
【００１５】
第１ＲＦ回路１１は、時間情報Ｔを送信し、時間情報Ｔは音声データの再生時点に対応する。例えば、音声データは時間の長さが５分間の一曲の音楽である場合、時間情報Ｔは音声データの５分間内における任意の再生時点、例えば０秒、２秒、４２秒、１分２秒、２分２２秒等を示し、第２ＲＦ回路２１は、第１ＲＦ回路１１から送信された時間情報Ｔを受信し、更に時間情報Ｔを第２再生回路２２に伝送し、第２再生回路２２が時間情報Ｔを受信した後、音声データを保存することで、時間情報Ｔの対応する音声データの再生時点に音声データを再生する。
前記時間情報Ｔが対応する再生時点が４２秒である場合を例にすると、第２再生回路２２が音声データの４２秒に音声データ再生を開始する（すなわち、第２再生回路２２は、音声データの４２秒前におけるオーディオクリップを再生しない）。
【００１６】
幾つかの実施態様において、時間情報Ｔは、デフォルト値とすることができ、デフォルトの時間情報Ｔで第２再生回路２２を制御して音声データのデフォルト再生時点に音声データの再生を開始する。実施において、第１制御回路１３は、中央処理装置、マイクロプロセッサ或いはマイクロコントローラとすることができ、ソフトウェア或いはファームウェアを通じて第１制御回路１３を制御して時間情報Ｔを生成でき、又は時間情報Ｔをメモリ内にあらかじめ保存すると共に第１制御回路１３を通じて第１ＲＦ回路１１に伝送する。
【００１７】
幾つかの実施態様において、時間情報Ｔは、音声データの第１再生回路１２における現在再生中の再生時点に対応する。すなわち、第１再生回路１２内に音声データを保存しており、第１ＲＦ回路１１が時間情報Ｔを送信する前、第１再生回路１２が音声データをまさに再生し、第１制御回路１３は音声データの現在再生中の再生時点をもって時間情報Ｔを生成し、音声データの第１再生回路１２における現在再生中の再生時点を検査し、また音声データの現在再生中の再生時点をもって時間情報Ｔを生成する。すなわち、第１制御回路１３は、リアルタイムで音声情報の再生時点に対応する時間情報Ｔを生成できる。
例えば、音声データが２秒再生後、第１制御回路１３は、これをもって２秒目に対応する時間情報Ｔを生成すると共に第１ＲＦ回路１１に伝送でき、この時、第２ＲＦ回路２１が第１ＲＦ回路１１の通信範囲内にある場合、第２ＲＦ回路２１は２秒目に対応する時間情報Ｔを受信し、第２再生回路２２が音声データの２秒目から音声データの再生を開始させる。こうして第２再生回路２２と第１再生回路１２は、同じ再生時点に音声データを同期再生できる。
【００１８】
実施において、第１ＲＦ回路１１は、第１アンテナ１１１と変調モジュール１１２とを含み、変調モジュール１１２が第１制御回路１３から生成された時間情報Ｔに対し振幅変調又は周波数変調処理を行い、第１ＲＦ回路１１が更に第１アンテナ１１１を通じてＲＦ信号に属する時間情報Ｔを送信し、第１アンテナ１１１が送信する時間情報ＴのＲＦ周波数は、３０ＭＨｚより小さい。
第２ＲＦ回路２１は、第２アンテナ２１１と復調モジュール２１２とを含み、第２アンテナ２１１を通じてＲＦ信号に属する時間情報Ｔを受信し、復調モジュール２１２が時間情報Ｔを復調することで、振幅変調或いは周波数変調前の時間情報Ｔを得ると共に時間情報Ｔを第２再生回路２２に伝送する。
【００１９】
第１制御回路１３はカウンターを含み、カウンターは音声データの第１再生回路１２における現在の再生時点をカウントすることで、逓増又は低減のカウント値を生成して時間情報Ｔとする。詳しく言うと、カウンターは、第１再生回路１２が音声データの再生を開始した後固定周波数でカウントしてカウント値を生成でき、例えば６４ｍｓごとに１回逓増又は逓減する。
第２再生回路２２は、カウント値で示される時間情報Ｔを受信した後、カウント値が対応する音声データの再生時間をもって音声データを再生できる。詳しく言うと、第２音声再生装置２０は、複数のスイッチ又は複数のマルチプレクサを更に含み、第２再生回路２２が複数のスイッチ又は複数のマルチプレクサを通じてカウント値に基づいて対応の音楽クリップを選択して再生できる。例えば、仮にカウント値５が対応する音声データの再生時点は、５秒目の音楽クリップの場合、第２再生回路２２が時間情報Ｔを受信した後５秒目が対応する音楽クリップを選択して音声データの再生を開始する。
【００２０】
応用において、音声データが音楽の場合を例にすると、音声データの再生システムの設計者は第１再生回路１２及び第２再生回路２２内に同じ音楽を保存し、第２再生回路２２が時間情報Ｔを受信した後第１再生回路１２と同じ音楽を同期再生させることができ、かつ第１再生回路１２及び第２再生回路２２は音楽終了時に再生を同時に停止できる。又は、第１再生回路１２及び第２再生回路２２内に各々同じメロディーであるが人声が異なる音楽を保存し、第２再生回路２２が時間情報Ｔを受信した後第１再生回路１２と同じメロディーを有する音楽を同期再生させることができる。
【００２１】
図２は、本発明の実施例２に係る音声データの再生システムの機能ブロック図である。
図２を参照する。実施例２と実施例１の相違点は、音声データの再生システムが第１音声再生装置１０にカップリングされるＲＦタグ３０を更に含み、かつ第１ＲＦ回路１１がＲＦタグ３０と第１再生回路１２との間にカップリングされ、第１ＲＦ回路１１の出力側が第１再生回路１２の入力側にカップリングされることである。
【００２２】
ＲＦタグ３０は、時間情報（説明の便宜を図るため、第１時間情報Ｔ１と称する）を保存するために用いられ、あらかじめ保存されている第１時間情報Ｔ１が音声データの再生時点に対応し、第１ＲＦ回路１１がＲＦタグを読み取ることで、第１時間情報Ｔ１を受信すると共に第１時間情報Ｔ１を第１再生回路１２に伝送する。第１再生回路１２は第１時間情報Ｔ１を受信した後、第１時間情報Ｔ１が対応する音声データの再生時点をもって音声データを再生し、すなわち、第１再生回路１２は音声データの任意の開始位置から音声データの再生を開始できる。
【００２３】
第１再生回路１２が第１時間情報Ｔ１に基づいて音声データの再生を開始した後、第１制御回路１３は音声データの第１再生回路１２においける現在再生中の再生時点をもって別の時間情報（説明の便宜を図るため、別の時間情報が第２時間情報Ｔ２と称する）を生成する。第１ＲＦ回路１１が第２時間情報Ｔ２を第２ＲＦ回路２１に送信し、第２ＲＦ回路２１が第２時間情報Ｔ２を第２再生回路２２に伝送し、第２再生回路２２は第２時間情報Ｔ２が対応する音声データの再生時点をもって音声データを再生できる。
【００２４】
これに基づいて、仮に第１時間情報Ｔ１が対応する再生時点が０秒目で、第２時間情報Ｔ２が対応する再生時点が２０秒目の場合、第１再生回路１２が音声データの０秒目から音声データの再生を開始し、第２再生回路２２が音声データの２０秒目から音声データの再生を開始し、言い換える、音声データの２０秒目から第２再生回路２２及び第１再生回路１２は音声データを同期再生する。
【００２５】
図３は、本発明の実施例１に係る音声データの再生方法のフローチャートである。
同時に図１及び図３を参照する。まず音声データの再生時点に対応する時間情報を定義（ステップＳ１０）し、第１ＲＦ回路１１で時間情報Ｔを送信（ステップＳ１１）し、第２ＲＦ回路２１で時間情報Ｔを受信する（ステップＳ１２）。第２ＲＦ回路２１は時間情報Ｔを第２再生回路２２に伝送（ステップＳ１３）し、第２再生回路２２は時間情報Ｔが対応する音声データの再生時点に音声データを再生させる（ステップＳ１４）。第１ＲＦ回路１１が送信する時間情報のＲＦ周波数は、３０ＭＨｚより小さい。
【００２６】
幾つかの実施態様において、時間情報Ｔは、音声データの第１再生回路１２における現在再生中の再生時点に対応するため、ステップＳ１１を実行する前、音声データの第１再生回路１２における現在再生中の再生時点をカウントすることで、カウント値を生成して時間情報Ｔとする。こうして第２再生回路２２及び第１再生回路１２は、音声データを同期再生できる。
【００２７】
図４は、本発明の実施例２に係る音声データの再生方法のフローチャートである。
同時に図２及び図４を参照する。音声データの再生時点に対応する第１時間情報Ｔ１を定義（ステップＳ２０）し、ＲＦタグ３０で第１時間情報Ｔ１を保存（ステップＳ２１）する。第１ＲＦ回路１１でＲＦタグを読み取ることで、第１時間情報Ｔ１を受信（ステップＳ２２）し、第１ＲＦ回路１１が第１時間情報Ｔ１を第１再生回路１２に伝送（ステップＳ２３）して第１再生回路１２は第１時間情報Ｔ１が対応する音声データの再生時点をもって音声データを再生させる（ステップＳ２４）。
【００２８】
幾つかの実施態様において、第１時間情報Ｔ１は、音声データの第１再生回路１２における現在再生中の再生時点に対応するため、ステップＳ２４を実行した後、音声データの第１再生回路１２における現在再生中の再生時点をカウントすることで、カウント値を生成して第２時間情報Ｔ２（ステップＳ２５）とする。第１ＲＦ回路１１で第２時間情報Ｔ２を送信（ステップＳ２６）し、第２ＲＦ回路２１で第２時間情報Ｔ２を受信（ステップＳ２７）し、第２ＲＦ回路２１が第２時間情報Ｔ２を第２再生回路２２に伝送（ステップＳ２８）して第２再生回路２２は第２時間情報Ｔ２が対応する音声データの第１再生回路１２における現在再生中の再生時点をもって音声データを再生させる（ステップＳ２９）。
【００２９】
図５は、本発明の実施例３に係る音声データの再生方法のフローチャートである。
同時に図１及び図５を参照する。本実施例において、再生しようとする音声情報は複数の小節を含み、各小節が音符、休符、変化記号或いはそれらの組み合わせを含む。これに基づいて、第１ＲＦ回路１１で小節情報を送信（ステップＳ３０）し、小節情報はコードとすることができ、このコードは前記音声情報の指定小節のトラック、音符、休符、変化記号或いはそれらの組み合わせに対応できる。すなわち、小節情報が音声情報の再生位置に対応でき、かつ、第２ＲＦ回路２１で小節情報を受信（ステップＳ３１）し、第２ＲＦ回路２１が小節情報を第２再生回路２２に伝送（ステップＳ３２）し、第２再生回路２２は小節情報が対応する再生位置で音声データを再生する（ステップＳ３３）。第１ＲＦ回路１１が送信する小節情報は、ＲＦ信号で、そのＲＦの周波数は３０ＭＨｚより小さい。
【００３０】
本実施例において、ステップＳ３３を実行する前、音声データの再生方法は、小節情報と音声データの複数小節を比較することで、小節情報が対応する再生位置を得ることを更に含む。小節情報がコードの場合を例にすると、音声情報内の複数小節が異なるコードに対応し、各々小節情報が対応するコードと各小節が対応するコードを比較することで、小節情報が対応する再生位置を得る。
【００３１】
幾つかの実施態様において、小節情報は音声データの第１再生回路１２における現在再生中の再生位置に対応するため、ステップＳ３０を実行する前、音声情報の第１再生回路１２における現在再生中の小節をカウントして小節情報が対向するコードを生成する。こうして第２再生回路２２及び第１再生回路１２は音声データを同期再生できる。
【００３２】
上記をまとめると、本発明に係る音声データの再生方法は、ＲＦ回路を通じて時間情報を送信でき、前記時間情報が音声データの一再生時点に対応し、時間情報を受信する再生回路は時間情報が対応する任意の再生時点をもって音声データを再生させ、更には異なる再生回路の間が再生音声データを同期再生させことができることで、生活利便性を向上する。
【００３３】
なお、本発明では実施例を前述の通り開示したが、これらは決して本発明を限定するものではなく、当該技術を熟知する者なら誰でも、本発明の精神と領域を脱しない均等の範囲内で各種の変更や修飾を加えることができる。ただし、それら変更や修飾は、本発明に添付されている特許請求の範囲の保護範囲内に含めるものであるのが勿論である。
【００３４】
本発明に係る音声データの再生方法は、ＲＦ回路を通じて時間情報を送信でき、前記時間情報が音声データの一再生時点に対応し、時間情報を受信する再生回路は時間情報が対応する任意の再生時点をもって音声データを再生させ、更には異なる再生回路の間が再生音声データを同期再生させことができることで、生活利便性を向上する。
【符号の説明】
【００３５】
１０  第１音声再生装置
１１  第１ＲＦ回路
１１１  アンテナ
１１２  変調モジュール
１２  第１再生回路
１３  第１制御回路
２０  第２音声再生装置
２１  第２ＲＦ回路
２１１  第２アンテナ
２１２  復調モジュール
２２  第２再生回路
３０  ＲＦタグ
Ｔ  時間情報
Ｔ１  第１時間情報
Ｔ２  第２時間情報
【図１】
2019505826.tif 000003
【図２】
2019505826.tif 000004
【図３】
2019505826.tif 000005
【図４】
2019505826.tif 000006
【図５】
2019505826.tif 000007
【国際調査報告】
2019505826.tif 000008
2019505826.tif 000009
2019505826.tif 000010
2019505826.tif 000011
2019505826.tif 000012